(57)【特許請求の範囲】
【請求項１】
それぞれが衣類の前身頃、後身頃となる分離された二つの層を身頃の輪郭線に沿って一体化した衣類を長手方向に連鎖した長尺編物を経編組織にて編成し、
経編組織による前記編物の編成と共に衣類における裾又は袖等の人体を通すための部位にサイズの調節の容易化のための夫々のサイズに応じた複数の指標部を形成し、
更に、編物から前記輪郭線に沿った編物の連鎖部分を切断することにより衣類を分離し、
分離された衣類における袖等の部位において、その着用者により体格や嗜好に基づいて前記複数の指標部から選択された一つの指標部の案内に従って、任意のラインで衣類の袖部等の要調節部を切断し、
これにより、縫製工程を経ることなく着用者の体格や嗜好にフィットした衣類を提供する方法。
【請求項２】
請求項１に記載の発明において、前記指標部を編物の編成時に織布に一体に編み込むことを特徴とする方法。
【発明の詳細な説明】
【０００１】
【発明の属する技術分野】
この発明は長尺の経編の布帛より切り出される無縫製の衣類の提供方法に関するものである。
【０００２】
【従来の技術】
従来の既製服の製造にあたっては、製織又は編成後に前身頃、後身頃、襟等の各部を型紙にそって裁断し、裁断された各部を縫製によって連結し、衣類とする工程をとるのが行われているところである。サイズに付いては多種類であればあるほど適合性が上がるが、あまり多種類とすることは型の数が増え、工程が増え、縫製の手間が多くなることからコスト増につながる。そこで、大（Ｌ）、中（М）、小（Ｓ）の３種類程度に押えるのが通常であった。
【０００３】
【発明が解決しようとする課題】
しかしながら、需要者にとっては個人間で微妙に変化するサイズや嗜好にベストフィットさせたいという要求があり、既製品の衣料のサイズは限られている現状に不満は大きい。そのため、サイズ調整の可能性が広い衣服に対する要求があった。
【０００４】
この発明は以上の現状に鑑みてなされたものであり、縫製コストを伴うことなく広範囲での寸法適合が可能とすることを目的とする。
【０００５】
【課題を解決するための手段】
この発明になる衣類の提供方法においては、それぞれが衣類の前身頃、後身頃となる分離された二つの層を身頃の輪郭線に沿って一体化した衣類を長手方向に連鎖した長尺編物を経編組織にて編成し、
経編組織による前記編物の編成と共に衣類における裾又は袖等の人体を通すための部位にサイズの調節の容易化のための夫々のサイズに応じた複数の指標部を形成し、
更に、編物から前記輪郭線に沿った編物の連鎖部分を切断することにより衣類を分離し、
分離された衣類における袖等の部位において、その着用者により体格や嗜好に基づいて前記複数の指標部から選択された一つの指標部の案内に従って、任意のラインで衣類の袖部等の要調節部を切断し、
これにより、縫製工程を経ることなく着用者の体格や嗜好にフィットした衣類を提供している。
【０００６】
このような構造の経編による布帛は少なくとも２枚の地筬と少なくとも２枚のジャカード筬とを有する経編機にて編成することができる。即ち、衣類の二つの層のうち一方の層は第１の地筬によって編成され、他方の層は第２の地筬によって編成される。二つの層を衣類の輪郭線に沿って接結する接結部はジャカード筬によってその編成を行うことができる。
【０００７】
経編組織中に衣類を一体化する技術自体については、特公昭５２−１２３０６号公報や実開昭６２−１５３３０４号公報にも開示されている。即ち、これらの技術では分離された２層の編成が可能であるとともに、これら２層間の連結編成が可能な２列の針床を有した経編機を用い、２層のうちの一方を衣類の前身頃、他方を衣類の後身頃となし、前身頃及び後身頃の輪郭線に沿った部分については２層間の連結編成を行うことにより、経編の編成の過程において編物中に衣類を一体に形成するものを提案している。従って、この発明における経編組織は前記公報と同様の技術によっても編成しうるものである。
【０００８】
そして、この発明の構成によれば、袖や裾等の衣類における人体を通す部位に切断による袖丈や身丈の調節の容易化のための指標部が形成されている。需要者は指標部をガイドとして任意のラインでカットを行う。指標部は、例えば、S, M, L等の表示よりなるが、カットはこれらの指標に厳密に合わせて行われるものではなく、これらの指標を目安にサイズ及び嗜好に合わせた任意のラインでカットを行うことができる。例えば、需要者が標準ではＭのサイズであるが、幾分長い袖丈としようとすれば、Ｍの表示を指標にそれより幾分袖丈が長くなる部位で切断を行うことになろう。従って、従来の衣類がサイズが固定のいくつかのものから選択せざるを得なかったことと比較してこの発明では需要者のサイズや嗜好に合わせた無段階的な調整が可能であり、サイズのベストフィット化が可能である。
【０００９】
以上述べたように、この発明は任意の点でのカットにより袖丈や身丈を任意に調整することができるが、任意の点でのカットしつつ無縫製というこの発明の解決手段との関係で重要な点は編組織として経編となっていることである。即ち、織成や横編による布ではカットによって織り目や網目が露出すると、糸のほつれが極めて簡単に生ずることから、ほつれを生じさせないため、カット部分での追加的な縫製処理が必須である。これに対して、経編組織においては、縦糸がウエール方向（経糸と交叉する方向）に振られることによりどのカットラインに沿っても経糸同士間での糸間は複雑な交絡構造となっており、任意のカットラインによるカットを行い、カットラインをそのままとしても、カットラインでの糸のほつれは殆ど起こり得ない。
【００１１】
好ましくは、前記指標部は編物の編成時に織布に一体に編み込むことができる。これにより指標部の形成を編物の編成と同じに一挙に効率的に行うことができる。
【００１２】
【発明の実施の形態】
図１，２はこの発明の実施によって得られる袋状の経編組織による編物を示しており、編物は分離した第１層１０（表層）と、第２層１２（裏層）とを備える。第１層１０は編物からの切り出し後に衣類（この実施形態においてはＴシャツ）の一方側、例えば前身頃となり、第２層１２は布帛からの切り出し後に衣類の他方側、例えば後身頃となる。衣類は布帛の長手方向（経糸方向）にリピートするように編成されている。
【００１３】
図１において、14-1, 14-2, 14-3は接結線であり、この接結線14-1, 14-2, 14-3に沿って第１層１０と第２層とは一体に連結されている。これらの接結線14-1, 14-2, 14-3を総称して１４にて表す（図２参照）。図１に示すように、接結線14-1, 14-2, 14-3は衣類（Ｔシャツ）の外形線に沿っており、接結線14-1は衣類の胴部における両側、接結線14-2は衣類の脇の下から袖口までのライン、接結線14-3は肩から袖口までのラインを示している。
【００１４】
１４Ａは衣類の首回りの開口部分を示し、１４Ｂは袖口の開口部分、１４Ｃは胴部の裾の開口部分を示し、これらの人体を通過させる部分においては上下層10, 12の接結は行われておらず、両者は分離しており、上下層間に首、腕、胴体を通過させるための開口が形成される。
【００１５】
図１において、CL1, CL2, CL3のラインは衣類としてのＴシャツの袖口の部位に設けられた切断用の案内用の案内線である。この案内線は経編の編物の編成と一体に形成されたＴシャツを編物から分離した後において、顧客である着用者のサイズや嗜好にベストフィットした袖長となるようにＴシャツの袖の部分を切断する際の案内線となるものである。即ち、ラインCL1, CL2, CL3は例えばL, M, Sの基準サイズに応じた切断線であり、顧客はラインCL1, CL2, CL3のうち自分のサイズに合ったいずれかのラインを選択し、選択されたラインをガイドとしてはさみによって切断を行うことにより自らのサイズないしは嗜好にベストフィットした最適の袖長が得られるようにカットを行う。従って、布帛から切り出した状態での袖口の開口部１４ＢはサイズとしてはLL（Ｌより幾分大きめのサイズ）というべきものとなっている。図３によってガイドラインについて更に詳細に説明するとラインCL1, CL2, CL3は夫々L, M, Sのサイズの基準カットライン（このラインに沿ってカットを必ずしも行うものではないが、顧客が自らのサイズや嗜好にベストフィットさせることきの目安となるカットライン）であり、編物上に目立たないように所望の編組織により形成することができる。カットラインと合わせてサイズを示すL, M, Sの表示を編みこむことができる。L, M, Sのようなサイズを表す文字の代わりに1, 2, 3のような数字でもよい。そして、カット案内線CL1, CL2, CL3は図示のように袖口の全幅に沿って延在させる必要はなく、袖口の目立たない部位における部分的なラインでもよい。カットラインは場合によってはＴシャツの袖におけるデザインの一部としてもよく、その場合は、異なった色による組織とすることも可能である。
【００１６】
次にガイドラインに沿った切断について説明すると、経編機による編成後個々に切り離されたＴシャツはパッケージとされてショップに提供される。この際、パッケージにはこの衣類の特徴として任意のラインで顧客自らがカットを行って差し支えない旨の表示がされている注意書を同封することにより需要者に注意を喚起することができる。寸法調節の際に着用者はそのサイズ及び／若しくは嗜好に従って最適の切断線を決定する。例えば、標準寸法Ｌより少し短いが標準寸法Мより相当大きい図３の矢印Ｘに沿ったカットラインにて切断しようとしたとすると、Ｘに最も接近した基準ラインCL1をガイドにしてはさみなどの切断具により袖口の切断を行うことになる。このような切断作業は不安であればショップにゆだねてもよいし、購入者（着用者）が自ら行ってもなんら差し支えない。このように、この発明においては、袖口のサイズについて代表的なサイズについて基準のカットラインを複数衣類に設けておき、基準のカットラインの中から適当なカットラインを選択し、これをガイドに切断を行っている。そのため、着用者のサイズや嗜好に合ったベストフィットの袖長とすることができる効果がある。
【００１７】
以上の実施形態では袖丈を可変とするため袖口にカット案内表示を挿入した例について説明したが、胴部の下端に同様な表示を編み込んでおき、その表示をガイドにしてカットすることにより自由な裾丈を設定できるようにすることもこの発明に包含される。また、首部の開口１４Ａにおいても同様な方式で切断案内表示を編みこんでおき、需要者の好みの首部の開口形状（開口の大きさ）を自由に設定可能とすることもこの発明の範囲に包含される。
【００１８】
この発明において重要な点はＴシャツを一体に形成した編物は経編組織にて編成されていることである。経編組織においては、周知の通りのウエール方向における経糸ループ同士の複雑な交絡構造を有している。そのため、任意のラインでのカットにかかわらず、カット縁において編物を構成する糸が交絡を維持することができる。即ち、この実施形態では経編布帛中に衣類（Ｔシャツ）を一体形成し、一体形成された衣類を切り出した後、ショップないしは個人が過程において袖口に設けた案内線を利用して適当な袖丈が得られるようにカットしており、カットされた縁部はそのままで何等処理を加えていないが、このようにカットしたままでも縁部に糸のほつれがない状態を確保することができる。
【００１９】
図４はこの発明の実施において使用しうるラッシェル経編機の一例を模式的に示しており、経編機は２列の針列20, 22と、針列20, 22に対応して設けた２列の地筬24, 26と、２列のジャカード筬28, 30を備えており、地筬２４には第１層１０を構成する経糸３２が挿通され、地筬２６には第２層１２を構成する経糸３４が挿通される。従って、非接結部では針列２０及び地筬２４によって経糸３２より第１層１０が編成されると同時に針列２２及地筬２６によって経糸３４より第２層１２が編成され、これら第１層１０と第２層１２とは非接結部では相互に分離している。そして、ジャカード筬28, 30にはそれぞれ経糸36, 38が挿通されており、ジャカード筬28, 30は接結線１４に沿って第１層１０と第２層１２とを経糸36, 38によって綴じ、これにより図１及び図２で説明した、第１層１０と第２層１２とが衣類の外形線に沿った接結された構造を得ることができる。
【００２０】
図４に示す経編機の構造は公技番号８６−５８２２に開示されたものと同様である。また、特公昭５２−１２３０６号公報や実開昭６２−１５３３０４号公報にも開示された経編機によってもこの発明は実施可能である。
【図面の簡単な説明】
【図１】図１はこの発明の一体型のＴシャツを編み込んだこの発明の編布を模式的に示す平面図である。
【図２】図２は図１のII−II線に沿って表される断面図である。
【図３】図３は図１の部分拡大図であり、編布に一体化されたＴシャツの袖部を示している。
【図４】図４は図１の編布を編成するための経編機の概略的構成を示す図である。
【符号の説明】
１０…第１層
１２…第２層
14-1, 14-2, 14-3…接結線
１４Ａ…首回りの開口部分
１４Ｂ…袖口の開口部分
１４Ｃ…胴部の裾の開口部分
20, 22…針床
24, 26…地筬
28, 30…ジャカード筬
32, 34, 36, 38…経糸
CL1, CL2, CL3…切断用の案内線
【図１】
0003718793.tif 000002
【図２】
0003718793.tif 000003
【図３】
0003718793.tif 000004
【図４】
0003718793.tif 000005